(57)【要約】 【課題】本発明はスイッチ用引き紐の長さが片手で素早く行え、且つ見た目も良くなる照明器具のスイッチ用引き紐構造を提供することを目的とする。【解決手段】紐引出口11及びスリ割12付きボス部13を設けたケース本体１と、該ケース本体１のボス部13に挿入してケース本体１の内部で回動可能に配置された回転ドラム２と、ボス部13のスリ割12に内側端部を挿入すると共に外側端部を回転ドラム２に取付けて装着させたゼンマイ３と、回転ドラム２に一端を固定してその外周に巻回させると共に他端を紐引出口11から出して装着された引き紐４と、該引き紐４が引張られる際に係止状態を保持するために設けた係止手段５と、係止状態を解除させるために設けた操作ボタン６と、該操作ボタン６が挿入される穴91を中央に設けた蓋体９とから構成する。【選択図】図１
2005285568.tif 000002
【特許請求の範囲】
【請求項１】
少なくとも紐引出口（11）を有したケース本体（１）の内部には、回動可能に配置された回転ドラム（２）と、該回転ドラム（２）を回転させて元の状態に戻すためのゼンマイ（３）と、前記回転ドラム（２）の外周に巻回すると共に一端を前記紐引出口（11）から出して装着させた引き紐（４）と、該引き紐（４）が引張られる際に係止状態を保持するために設けた係止手段（５）と、係止状態を解除させるために設けた操作ボタン（６）とが設けられ、且つ該操作ボタン（６）を挿入する穴（91）が中央に設けられた蓋体（９）を前記ケース本体（１）に取付けたことを特徴とする照明器具のスイッチ用引き紐構造。
【請求項２】
前記ケース本体（１）の内側中央にはスリ割（12）を有したボス部（13）が突設され、前記ゼンマイ（３）の内側端部が前記ボス部（13）のスリ割（12）に挿入されると共に外側端部が前記回転ドラム（２）に取付けて装着され、且つ前記引き紐（４）の他端が前記回転ドラム（２）に固定された請求項１記載の照明器具のスイッチ用引き紐構造。
【請求項３】
前記引き紐（４）として、弾力性を有したものが使用された請求項１又は２記載の照明器具のスイッチ用引き紐構造。
【請求項４】
前記係止手段（５）が、前記回転ドラム（２）の内周に突出させた係止片（51）と、前記操作ボタン（６）の外周から突出させた突出片（52）とから成され、且つ前記操作ボタン（６）の外周をスライド可能に案内する案内駒（７）を前記ケース本体（１）に連結させ、前記操作ボタン（６）を復元するためのコイルスプリング（８）が、前記操作ボタン（６）と前記案内駒（７）の間に装着され、尚且つ、前記操作ボタン（６）を押した際に前記突出片（52）が外れる位置に前記係止片（51）を配置させた請求項１記載の照明器具のスイッチ用引き紐構造。
【請求項５】
前記蓋体（９）の穴（91）付近に凹部（92）が形成された請求項１記載の照明器具のスイッチ用引き紐構造。
【発明の詳細な説明】
【技術分野】
【０００１】
本発明は家庭用照明器具のスイッチ用引き紐の長さが自在に変更できる照明器具のスイッチ用引き紐構造に関する。
【背景技術】
【０００２】
一般に室内の天井に吊下した照明器具の多くは、引き紐によりスイッチを切換える方式のものが採用されている。この方式の照明器具の略中央には引き紐が付いており、スイッチ操作時は照明器具の真下の引き紐を引いてスイッチ操作が行われている。特に、就寝時に床から起き上がらずにスイッチを切換えたい際には、従来から引き紐を長くしたものが使用されていたが、就寝時以外は邪魔になり、且つだらんと垂れ下がって見た目が悪いため、紐を短く結び、就寝時に長く伸ばして使用するか、或いは長い紐を折返して二重にさせ、紐の長さ調整が出来る製品も市販されている。別の製品としては、リモコンやタイマー付きの照明器具も市販されている。
【０００３】
しかしながら前記紐を短く結び、就寝時に長く伸ばして使用する場合は、使用する毎に引き紐の結びや解しを行わなければならず、面倒であった。また折返して二重にさせる市販の商品は、両手を使用するため、手の不自由な人には使用しにくく、且つ長さ調整する際には調整する長さ分移動しなければならず手間が掛かる等の問題点があった。又、前記リモコンやタイマー付きの照明器具を購入すると、使用していた照明器具と取替えるため、費用と手間が掛かると共に前の照明器具が余ってしまい、更にリモコンは置き忘れや紛失し易いので、リモコンを探さなければならず面倒である等の問題点もあった。他方、照明器具のスイッチ用引き紐の操作力を軽減させて、その操作が円滑に行えるように提案された特開平９−２６５８３０号「天井直付形照明器具のプルスイッチ引きひも構造」がある。これは照明器具のスイッチ用引き紐の操作が円滑に行えるための構造のものであり、スイッチ用引き紐の長さを自在に変更するものではない。
【特許文献１】特開平９−２６５８３０号公報
【発明の開示】
【発明が解決しようとする課題】
【０００４】
本発明は家庭用照明器具のスイッチ用引き紐の長さが自在に変更出来ると共に片手でも素早く長さ調整操作が容易に行え、且つ見た目も良い照明器具のスイッチ用引き紐構造を提供することを目的とする。
【課題を解決するための手段】
【０００５】
本発明は上記問題点を解消するために成されたものであり、つまり、外周に紐引出口を設けると共に内側中央にスリ割を有したボス部が突設されたケース本体と、該ケース本体のボス部に挿入してケース本体の内部で回動可能に配置された回転ドラムと、ボス部のスリ割に内側端部を挿入すると共に外側端部を回転ドラムに取付けて装着したゼンマイと、回転ドラムに一端を固定してその外周に巻回させると共に他端を紐引出口から出して装着された引き紐と、該引き紐が引張られる際に係止状態を保持するために設けた係止手段と、係止状態を解除させるために設けた操作ボタンと、該操作ボタンが挿入される穴を中央に設けた蓋体とから構成する。また係止手段として、回転ドラムの内周に突出させた係止片と、操作ボタンの外周から突出させた突出片とから成し、且つ操作ボタンの外周をスライド可能に案内する案内駒をボス部に連結させ、操作ボタンの端部を復元するためのコイルスプリングを、操作ボタンと案内駒の間に装着し、尚且つ、操作ボタンを押す際に突出片が外れる位置に係止片（51）を配置させると良い。更に蓋体の穴付近に凹部を形成させたものとしても良い。
【発明の効果】
【０００６】
請求項１のように少なくとも紐引出口（11）を有したケース本体（１）の内部には、回動可能に配置された回転ドラム（２）と、該回転ドラム（２）を回転させて元の状態に戻すためのゼンマイ（３）と、回転ドラム（２）の外周に巻回すると共に一端を紐引出口（11）から出して装着させた引き紐（４）と、該引き紐（４）が引張られる際に係止状態を保持するために設けた係止手段（５）と、係止状態を解除させるために設けた操作ボタン（６）とが設けられ、且つ該操作ボタン（６）を挿入する穴（91）が中央に設けられた蓋体（９）をケース本体（１）に取付けることにより、操作ボタン（６）を押しながら引き紐（４）を引き出すだけで簡単に適宜長さが確保出来るため、特に就寝時に引き紐（４）を長く引き出しておけば、寝たまま使用でき、寝たきりの人が使用すると便利なものとなる。又、引き紐（４）の長さを短くする際には、操作ボタン（６）を押し続ければ引き紐（４）がケース本体（１）の内部にスムーズに巻き戻されて収納でき、従来の如き引き紐（４）の結びや解しを行わず、簡単となり、また折返して二重にさせる市販の商品のように両手を使用する必要もなくなるため、手の不自由な人であっても、片手で素早く長さ調整操作が簡単に行え、且つ本発明品が照明器具の引き紐の直ぐ下に配置されるので、見た目もスッキリしたものとなり、子供の手の届かない位置まで簡単に短くでき、子供のいたずらが防止出来るものとなる。更に従来のリモコンやタイマー付きの照明器具を購入する必要がないので、照明器具の取替えが不要であり、費用と手間が余り掛からず、且つリモコンの置き忘れや紛失の心配がなくなる。
【０００７】
請求項２のようにケース本体（１）の内側中央にスリ割（12）を有したボス部（13）が突設され、ゼンマイ（３）の内側端部をボス部（13）のスリ割（12）に挿入すると共に外側端部を回転ドラム（２）に取付けて装着し、且つ引き紐（４）の他端を回転ドラム（２）に固定することにより、引き紐（４）を紐引出口（11）からスムーズに出し入れが確実に行えるものとなる。
【０００８】
請求項３に示すように引き紐（４）として弾性力を有したものが使用されることにより、引き紐（４）でスイッチ操作する際の衝撃力が緩和されるため、スイッチや紐自体の寿命が伸びるものとなる。
【０００９】
請求項４に示すように係止手段（５）として、回転ドラム（２）の内周に突出させた係止片（51）と、操作ボタン（６）の外周から突出させた突出片（52）とから成し、且つ操作ボタン（６）の外周をスライド可能に案内する案内駒（７）をケース本体（１）に連結させ、操作ボタン（６）の端部が蓋体（９）から突出させるためのコイルスプリング（８）を、操作ボタン（６）と案内駒（７）の間に装着し、尚且つ、操作ボタン（６）を押した際に突出片（52）が外れる位置に係止片（51）を配置することにより、引き紐（４）の長さが自在に調整することができ、且つ引き紐（４）のスイッチ操作も確実に行えるものとなる。
【００１０】
請求項５のように蓋体（９）の穴（91）付近に凹部（92）を形成させることにより、操作ボタン（６）を蓋体（９）の端面から突出せずにセットできるため、本発明品の厚みを薄く出来るものとなると共により小さなものにすることが可能となる。
【発明を実施するための最良の形態】
【００１１】
図１、図２は本発明の実施形態を示す図であり、これに基づいて説明する。（１）は外周に紐引出口（11）を設けると共に内側中央にはスリ割（12）を有したボス部（13）が突設され、且つ片側が開口する合成樹脂製のケース本体であり、該ケース本体（１）の形状は図示する有底で扁平な筒状に限定されるものではない。（２）はケース本体（１）のボス部（13）に挿入してケース本体（１）の内部で回動可能に配置された合成樹脂製の回転ドラムであり、該回転ドラム（２）は、円筒（21）の内部中間に、ボス部（13）に挿入する穴が中心に設けられた円板（22）を一体に成形し、前記円筒（21）の両端側には溝（23a）を有した鍔（23）が一体に成形されている。また前記溝（23a）は後述するゼンマイ（３）の外側端部を挿入する役目と、後述する引き紐（４）の一端が挿入されて固定する役目を果たす。（３）はボス部（13）のスリ割（12）に内側端部を挿入すると共に外側端部を回転ドラム（２）に取付けて前記円筒（21）の内部に装着させるゼンマイであり、該ゼンマイ（３）は渦巻状の板バネを使用するが、前記引き紐（４）を引き戻すことができれば板バネ以外のバネを使用しても良い。
【００１２】
（４）は鍔（23）の溝（23a）に一端を固定し、２つの鍔（23）と円筒（21）の外周とで囲まれた空間部に巻回させると共に他端が紐引出口（11）から出された引き紐であり、該引き紐（４）の長さとしては、１メートル前後の長さとするのが好ましいが、寝たきりの人が使用する場合には、１．５メートル前後の長いものを使用すると良い。また前記引き紐（４）として、弾性力を有したものを使用すると良い。この時の弾力性は、スイッチ操作時に引き紐（４）が伸びないか或いは多少伸びる程度の強さを有するものが好ましい。（５）は引き紐（４）が引張られる際に係止状態を保持するために設けた係止手段であり、該係止手段（５）には、回転ドラム（２）の内周に突出させて一体に成形した三角状の係止片（51）と、後述する操作ボタン（６）の外周から突出させて一体に成形した突出片（52）とがある。尚、前記係止片（51）を複数設けて、引き紐（４）の長さが細かく調整できるようにしても良い。（６）は係止状態を解除させるために設けた有底な円筒状で合成樹脂製の操作ボタンである。（７）はボス部（13）に連結させる合成樹脂製の案内駒であり、該案内駒（７）は、有底な円筒に、操作ボタン（６）に設けた突出片（52）をスライド可能に案内する案内溝（71）が穿設され、案内溝（71）と反対側にはボス部（13）へ挿入し固着させるための挿入部（72）が突設されている。（８）は操作ボタン（６）と案内駒（７）との内部に挿入して装着するコイルスプリングであり、該コイルスプリング（８）は操作ボタン（６）を元の位置に復元させるためのものである。（９）は操作ボタン（６）が挿入される穴（91）を中央に設けた合成樹脂製の蓋体であり、該蓋体（９）の穴（91）付近には凹部（92）が形成されている。また前記蓋体（９）はケース本体（１）に合わせて接着する。尚、前記紐引出口（11）は図中ではケース本体（１）と蓋体（９）との外周に設けられているが、ケース本体（１）側だけに設けても良い。又、前記ケース本体（１）と蓋体（９）との外周に凹みを設けて滑り止め用としても良く、上部へ夜間に光る蓄光材など設けておくと良い［図３（ｂ）参照］。
【００１３】
本発明品の組み立て方について説明する。先ず始めゼンマイ（３）をケース本体（１）内部に入れると共に前記ゼンマイ（３）の内側端部をボス部（13）のスリ割（12）に挿入する。また引き紐（４）の一端を回転ドラム（２）の溝（23a）に挿入し固定させて円筒（21）の外周に予め巻回しておく。次に回転ドラム（２）をボス部（13）に挿入しながら、ゼンマイ（３）の外側端部を回転ドラム（２）の溝（23a）に挿入して円筒（21）の内部にゼンマイ（３）を装着させる。そして引き紐（４）の他端部を紐引出口（11）から出す。次に案内駒（７）の挿入部（72）をボス部（13）に挿入し接着剤などで固定させて連結する。その後、操作ボタン（６）の内部にコイルスプリング（８）を挿入し、前記操作ボタン（６）を案内駒（７）に挿入させると共に突出片（52）を案内溝（71）に挿入させる。更に蓋体（９）の穴（91）に操作ボタン（６）を挿入させると共に蓋体（９）を押えた状態で、引き紐（４）が紐引出口（11）からスムーズに引き出せることを確認し、且つ操作ボタン（６）がスムーズに復帰するかを確認する。良好であれば、前記蓋体（９）をケース本体（１）に固定する。この時、接着剤を使用すると良い。これで本発明品は完成するのである［図３（ａ）参照］。
【００１４】
次に本発明の使用方法について説明する。先ず紐引出口（11）から出ている引き紐（４）の端部を、照明機器に取付けられている引き紐に結び付けて連結させる。次に本発明品を使用する場合は、操作ボタン（６）を押しながら下方へ移動するだけで、引き紐（４）が引き出されて長くなるため、使い易い位置で、操作ボタン（６）を離せば任意の長さが得られるものとなる。例えば、座った状態で使用したい時は、本発明品に設けた操作ボタン（６）を押しながら座り、操作ボタン（６）を離せば引き紐（４）の引き出しは止まる。その後、座った状態で使用し易い長さに、操作ボタン（６）を押して微調整を行えば良い。引き紐（４）の長さを元に戻す時には、操作ボタン（６）を片手で押せばゼンマイ（３）の弾性力で回転ドラム（２）が回転されながら引き紐（４）を巻き取るため、操作ボタン（６）を押しながら立ち上がるだけで簡単に戻すことが出来るものとなる。又、就寝時に引き紐（４）を長くして使用したい時は、本発明品に設けた操作ボタン（６）を押しながら下方へ移動し、床に近付いたら操作ボタン（６）を離し、更に寝た状態で、前記同様に操作ボタン（６）を押して微調整を行えば良い。このように本発明はスイッチ用引き紐（４）の長さが自在に変更出来ると共に片手でも素早く長さ調整操作が容易に行えるものとなる。尚、前記ケース本体（１）又は前記蓋体（９）に面ファスナーやフックを設け、予めベッド側に設けた面ファスナーに、前記ケース本体（１）又は前記蓋体（９）の面ファスナーを係止させ、或いはフックをベッドに引掛けておくと、ベッドに寝たままの人が使用する場合、本発明品がぶらぶらせず、且つ設置場所が決まるので、直ぐに手が届き、使い易いものとなる。
【産業上の利用可能性】
【００１５】
本発明は家庭用照明器具のスイッチ用引き紐以外に、小犬の散歩用紐として使用すれば便利なものとなる。
【図面の簡単な説明】
【００１６】
【図１】本発明の実施形態の要部断面を示す説明図である。
【図２】本実施形態の分解部品の斜視図である。
【図３】本発明の使用状態を示す説明図である。
【符号の説明】
【００１７】
１  ケース本体
11  紐引出口
12  スリ割
13  ボス部
２  回転ドラム
３  ゼンマイ
４  引き紐
５  係止手段
51  係止片
52  突出片
６  操作ボタン
７  案内駒
８  コイルスプリング
９  蓋体
91  穴
92  凹部
【図１】
2005285568.tif 000003
【図２】
2005285568.tif 000004
【図３】
2005285568.tif 000005